(57)【要約】【課題】電動モータの回転数が変化した場合であっても、駆動部から発生する振動を十分に吸収することができる電動モータ駆動機器の支持装置を提供する。【解決手段】電動モータ２とこの電動モータ２によって駆動される駆動部を支持しているベース９の下面に配置された複数の支持脚１２によって床面等に載置するようにしたモータ駆動機器１において、前記支持脚１２を弾性材料により形成するとともに支持脚１２に機器本体の荷重を支持する振動吸収面１７を形成し、ベース９の下面と振動吸収面１７との間に形成した小断面の凸部２３を介して支持脚１２の振動吸収面１７を弾性変形させることによってモータ駆動機器１本体の荷重と振動を支持させる。【選択図】      図４
2004194462.tif 000002
【特許請求の範囲】
【請求項１】
電動モータとこの電動モータによって駆動される駆動部を搭載するとともに電動モータと駆動部を支持しているベースの下面に配置された複数の支持脚によって床面等に載置するようにしたモータ駆動機器において、前記支持脚を弾性材料により形成するとともに該支持脚にモータ駆動機器本体の荷重を支持する振動吸収面を形成し、前記ベースの下面と振動吸収面との間に形成した小断面の凸部を介して前記支持脚の振動吸収面を弾性変形させることによって機器本体の荷重を支持させるようにしたことを特徴とするモータ駆動機器の支持装置。
【請求項２】
前記支持脚に、運転時には互いに離反状態に維持されるとともに衝撃的な大きな荷重が作用することによって前記ベースの下面と当接して大きな衝撃荷重を吸収するようにした広い面積の衝撃吸収面を形成したことを特徴とする請求項１に記載のモータ駆動機器の支持装置。
【発明の詳細な説明】
【０００１】
【発明の属する技術分野】
本発明は、電動モータによって作動される作動部を内蔵した例えば圧縮機等のモータ駆動機器を、床面等の接地面に対して載置した状態に支持するモータ駆動機器の支持装置に関する。
【０００２】
【従来の技術】
例えば、電動モータにより圧縮部を駆動して空気を圧縮するようにした圧縮機では、電動モータによって駆動される圧縮部の作動に伴って振動が発生し、圧縮部や電動モータを支持しているベースにこの振動が伝わって圧縮機を載置している床面や地面に振動が伝搬されないように、ベースと接地面との間にゴム等の弾力性の材料により構成されている支持脚を形成して、この支持脚の弾力によってベースに伝搬された振動を吸収するようにしている。
【０００３】
従来の支持装置は、ボルト等の止め具を有したクッションゴムに止め具の軸方向の荷重を吸収させる蛇腹部を形成するとともに、止め具の周りに圧縮機運転時の圧縮部の作動による圧縮機本体の荷重を吸収する円周状の溝を形成し、上記止め具を有したクッションゴムで圧縮機をベースに対して支持させて、止め具の軸方向にかかる圧縮機の荷重と止め具の軸を中心として捩れ方向の荷重を吸収するようにしている（例えば、特許文献１参照）。
【０００４】
【特許文献１】
特開平９−１５１８４９号公報
【０００５】
【発明が解決しようとする課題】
ところで、圧縮機等においては、従来から駆動用の電動モータとして誘導モータが使用されており、この誘導モータでは汎用電源の周波数によって電圧が変動しても回転数がほぼ一定で安定していた。従って誘導モータを搭載した機器においては駆動部の作動に伴って発生する振動がほぼ一定であり、前記支持脚をこれらの機器に発生する振動に見合った弾力と取付状態に設定することによって有効に振動が吸収できて、振動により機器が床面を移動してしまう等の現象が低減することができた。このように一定の振動に対応させて設定された支持装置では、例えば圧縮機を落下させてしまったりした場合等に生ずる衝撃的な荷重に対しての対応が考慮されていないため、落下等の大きな衝撃に対応するためベース等の部品設計を強度的に大きくしなければならない。
【０００６】
更に、モータ駆動機器の小型軽量及び能力の拡大が求められて、駆動用の電動モータとしてインバータ制御により駆動されるインバータモータを搭載したモータ駆動機器が多くなっている。インバータモータの制御方法として電源電圧が確保されているときには回転数を高くして能力を増大させ、電源電圧が低いときには回転数を低くしてそのときの電圧で最大限の能力を出すように運転を制御する。このため、従来の誘導モータに比べて回転数の変動が大きくなり機械振動が大きくなり前述のように一定の振動に適用させた支持脚によっては振動を吸収できず、駆動部の作動によって発生する振動によってコンクリートやタイル等のなめらかな接地面に載置したときに機器が移動してしまうという問題が発生している。
【０００７】
本発明は上記従来の問題点を解消して、電動モータの回転数が変化した場合であっても、電動モータによって作動する駆動部から発生する振動を十分に吸収することができる電動モータ駆動機器の支持装置を提供することを課題とする。
【０００８】
【課題を解決するための手段】
上記課題を解決するため本発明のモータ駆動機器の支持装置は、電動モータとこの電動モータによって駆動される駆動部を搭載するとともに電動モータと駆動部を支持しているベースの下面に配置された複数の支持脚によって床面等に載置するようにしたモータ駆動機器において、前記支持脚を弾性材料により形成するとともに該支持脚にモータ駆動機器本体の荷重を支持する振動吸収面を形成し、前記ベースの下面と振動吸収面との間に形成した小断面の凸部を介して前記支持脚の振動吸収面を弾性変形させることによって機器本体の荷重を支持させるようにしたことを特徴とする。
【０００９】
また、請求項２の発明は、前記支持脚に、運転時には互いに離反状態に維持されるとともに衝撃的な大きな荷重が作用することによって前記ベースの下面と当接して大きな衝撃荷重を吸収するようにした広い面積の衝撃吸収面を形成したことを特徴とする。
【００１０】
【発明の実施の形態】
以下、本発明の実施の形態を図に示す実施例に基づいて説明する。図１は本発明のモータ駆動機器の一例として示すインバータモータにより駆動される可搬タイプの圧縮機であり、該圧縮機１は、電動モータ２によって駆動される圧縮部３を備え、該圧縮部３で生成された高圧の圧縮空気を空気タンク４内に溜め、この空気タンク４内に溜めた高圧の圧縮空気を減圧弁５を介して所定の圧力に調整して圧縮空気取出部６に形成されたソケット７から圧縮空気により駆動される空気動工具等へ供給できるようにしている。圧縮部３は電動モータ２のハウジングと一体に構成されており、この電動モータ２のハウジングに空気タンク４と減圧弁５及び圧縮空気取出部６等が取付られている。電動モータ２のハウジングは弾力支持部材８を介してベース９の上面に支持されており、該ベース９の上面は前記ソケット７の一部と圧縮機１を把持するための把手１０の一部が露出されるようにカバー１１によって覆われている。更にベース９の下面には圧縮機１を床面等に載置できるように支持脚１２が形成されている。
【００１１】
図２及び図３に示すように前記支持脚１２は、ゴム等の弾力性を有した材料により成型されており、該支持脚１２の上面側には、前記ベース９に形成された支持脚１２の取り付け用の開口１３（図４参照）内に嵌合される頚部１４の上端に鍔状部１５が形成され、更に前記頚部１４の下方には通常運転時に圧縮機１の荷重を受けるとともに振動を吸収する振動吸収面１７が形成され、更に振動吸収面１７の外周側には落下等による圧縮機１に発生する大きな衝撃を吸収する衝撃吸収面１８が形成されている。また、支持脚１２の下面側には図３乃至図５に示すように、通常の圧縮機１の運転時に圧縮機１の荷重を床面等の載置面に設置させる下方向に突出された載置面を形成している筒状の支持部材１９と、該支持部材１９の外側に落下等による発生する圧縮機１の大きな衝撃を支持する衝撃支持面２０が形成されている。前記支持部材１９と衝撃支持面２０の間には支持脚１２を形成している弾力性材料の弾力を大きくするための貫通孔２１と凹溝２２が環状に配置されて形成されている。
【００１２】
図４に示すように、前記ベース９に形成されている支持脚１２の取り付け用の開口１３開口縁の下面側には、前記支持脚１２に形成されている振動吸収面１７に当接される小断面積の環状の凸部２３が下面方向に突出されて形成されており、この凸部２３の外周側には支持脚１２の衝撃吸収面１８と対向した平坦面２４が形成されている。前記凸部２３は支持脚１２をベース９の開口１３に取り付けた状態で前記凸部２３が支持脚１２の振動吸収面１７に当接されるようにされている。ベース９に取り付けられた支持脚１２がコンクリートやタイル等の床面に載置されて圧縮機１の荷重が支持脚１２に作用した状態で、前記凸部２３が平坦な振動吸収面１７に食い込むように支持脚１２を弾力変形させ、この状態で圧縮機１の荷重と運転時の振動を支持するようにしている。
【００１３】
上記圧縮機１の通常運転時には前記衝撃吸収面１８とベース９の平坦面２４は離反状態を維持するように間隔が取られており、通常運転時の圧縮部３の振動によってはベース９の平坦面２４から支持脚１２の衝撃吸収面１８へ振動が伝搬しないようにしている。圧縮機１を床面に載置する際に落としてしまったりした場合には、図６に示すように、通常の運転時より大きな衝撃荷重が支持脚１２に加わって、前記凸部２３による振動吸収面１７の変形量が大きくなって、ベース１側の平坦面２４と支持脚１２の衝撃吸収面１８とが広い面積で当接して衝撃的な大きな荷重が吸収される。
【００１４】
上記実施例において、支持脚１２の振動吸収面１７に当接される小断面積の凸部２３として環状に形成された突起を形成した実施例について説明したが、凸部２３の形状としては環状に限らず小断面の柱状に形成することによっても同一の作用が得られる。また、凸部２３を複数に分散配置して形成することも可能である。更に、モータ駆動機器１の電動モータとしてはインバータモータに限らず誘導モータ等を搭載した機器にも採用することが可能である。
【００１５】
図７は本発明の支持装置の別の実施例を示すもので、前述の実施例では支持脚１２の支持面に当接する小断面の凸部２３をベース９の開口１３部に一体に形成したものであるが、本実施例の支持装置では、モータ駆動機器１のベース９の下面には凸部を形成せず、平坦なベース１の下面と支持脚１２の振動吸収面１７との間に小断面の所定厚さの座金２５を介在させて凸部２３を構成したものである。支持脚１２の振動吸収面１７はこの座金２５によって弾力的に変形されて運転時の荷重と振動を吸収するようにしている。更に別の実施例として支持脚１２の振動吸収面１７にモータ駆動機器１のベース９に当接する小断面積の凸部を一体に形成しても同様の効果が得られる。なお、この場合には弾力性材料で形成される支持脚１２に時間の経過とともに永久ひずみが発生して振動吸収の作用が低下するので、極く軽量の機器かまたは永久ひずみの比較的少ない材料を選定することが必要である。
【００１６】
【発明の効果】
上記の通り本発明によれば、支持脚を弾性材料により形成するとともに機器本体の荷重を支持する振動吸収面を形成し、機器本体を支持しているベースの下面と振動吸収面支持面との間に形成した小断面の凸部を介して前記支持脚の振動吸収面を弾性変形させることによって機器本体の荷重を支持させるようにしているので、機器の荷重と運転時の振動が支持脚の全面に作用せず、小断面の凸部を介して荷重と振動を受けることによって部分的に荷重が集中されて支持脚の変形を促し振動の吸収効果が大きくなり、電動モータとしてインバータモータを使用した機器においてモータの回転数が変動しても効果的に振動を吸収することができ、設置した床面での移動が防止できる。
【００１７】
また、請求項２の発明によれば、前記支持脚に、運転時には互いに離反状態に維持されるとともに衝撃的な大きな荷重が作用することによってベースの下面と当接する広い面積の衝撃荷重吸収面を形成しているので、大きな衝撃が発生したときにはベースに加わる衝撃が分散されて破損を防止でき、ベース等の材料をプラスチック材等の機械強度が低い材料が使用可能であり、また、ベース等の肉厚等が減少できて小型軽量化が可能となる。
【図面の簡単な説明】
【図１】本発明の支持装置を実施した圧縮機の一部を断面した側面図
【図２】本発明の支持装置を構成している支持脚の斜視図
【図３】図２と同じ支持脚の底面図
【図４】支持脚をベースに取り付けた状態の縦断側面図
【図５】支持脚をベースに取り付けた状態の縦断正面図
【図６】衝撃的な大きな荷重が作用した状態の縦断側面図
【図７】他の実施例にかかる支持脚をベースに取り付けた状態の縦断側面図
【符号の説明】
１  圧縮機（モータ駆動機器）
２  電動モータ
８  弾力支持部材
９  ベース
１２  支持脚
１３  開口
１７  振動吸収面
１８  衝撃吸収面
１９  支持部材
２０  衝撃支持面
２３  凸部
２４  平坦面
２５  座金
【図１】
2004194462.tif 000003
【図２】
2004194462.tif 000004
【図３】
2004194462.tif 000005
【図４】
2004194462.tif 000006
【図５】
2004194462.tif 000007
【図６】
2004194462.tif 000008
【図７】
2004194462.tif 000009